(57)【特許請求の範囲】
【請求項１】
本体に設けた係止突起に、２方向からそれぞれ係止部材をその板状部に形成した係止孔を嵌めることによって係止させる係止構造において、
係止突起の係止部材が嵌められる方向のそれぞれの端部に係止孔の受け入れ用の斜面を形成し、
本体に設けた１個の係止突起に嵌まるように２つの係止部材のそれぞれの板状部に係止孔を形成し、両係止孔をそれぞれ板状部の弾性を利用して斜面をすべらせるように移動させることにより係止突起に嵌めることで、両係止部材のそれぞれの板状部が重なった状態で係止することを特徴とする係止構造。
【請求項２】
請求項１において、
係止突起の一方の端部には、斜面と共に一方の係止部材の係止孔が係止する平面部を形成し、係止突起の他方の端部には斜面のみを形成したことを特徴とする係止構造。
【請求項３】
請求項１において、
係止突起の平面形状が大略Ｔ形となる上部および脚部から構成されていることを特徴とする係止構造。
【請求項４】
請求項１において、
両係止部材の重なる板状部にそれぞれ設けた係止孔を、重なる下側となる係止孔を矩形とし、重なる上側となる係止孔を大略Ｔ形としたことを特徴とする係止構造。
【発明の詳細な説明】
【技術分野】
【０００１】
本発明は、電子機器筐体の本体とその蓋体等の係止部品とを組み合わせる構造等において、本体側に設けた係止突起に係止部品側に設けた係止孔を嵌めて一体にする係止構造に関する。
【背景技術】
【０００２】
従来の係止突起と係止孔による係止構造は、図１１、図１２に示す如く、本体（または部品等）１００に設けた十字状の係止突起１０１と、図１４に示す如く、係止部材１０２の板状部に設けた前記係止突起１０１に係止する十字状の係止孔１０３から構成される。
前記係止突起１０１は、係止部材１０２の嵌合方向の突起部１０１ａに斜面１０１ｂを形成してあり、図１４に示す如く、この係止突起１０１に、係止部材１０２の板状部に設けた係止孔１０３を板状部の弾性を利用してすべらせるように移動させることにより嵌めて係止するものである。
【０００３】
この係止状態は、図１３に示す如く、係止孔１０３の稜線１０３Ａが係止突起１０１の突起面１０１Ａに係止し、係止孔１０３の稜線１０３Ｂが係止突起１０１の突起面１０１Ｂに係止し、係止孔１０３の稜線１０３Ｃが係止突起１０１の突起面１０１Ｃに係止し、係止孔１０３の稜線１０３Ｄが係止突起１０１の突起面１０１Ｄに係止することにより上下左右の４方向に対して係止することができる（例えば、特許文献１参照）。
【特許文献１】特開２００５−５４９４８号公報
【発明の開示】
【発明が解決しようとする課題】
【０００４】
しかしながら、上述した従来の技術においては、図１５に示す如く、本体１００に対して向き合った両方（２方向）から係止部材１０２を嵌めるような場合、両方の係止部材の板状部にそれぞれ十字状の係止孔１０３を形成し、本体にはそのそれぞれの係止孔１０３に対応する十字状の係止突起１０１を設けておき、両係止部材のそれぞれの係止孔１０３をそれぞれの方向から本体の係止突起１０１に嵌めることによってそれぞれの係止部材１０２を本体１００に係止するようにしている。
【０００５】
したがって、本体には２つの係止部材のそれぞれの係止孔にそれぞれに対応する係止突起を設けなければならず、さらに、この係止突起が十字状をしているために、スペースが大きくなるという問題がある。
以上のことから、このような構造は、製品形状の簡素化、製品サイズの小型化の弊害となり、また、本体内部で電気的なノイズが発生するような場合は、係止部材の板状部が小さいために抑制力が弱く、他の電子機器への影響が問題となる。
【０００６】
本発明は、このような問題を解決することを課題とし、両係止部材の板状部が重なり合うようにして本体の１個の係止突起に両板状部の係止孔を係止させることを目的とする。
【課題を解決するための手段】
【０００７】
そこで本発明は、本体に設けた係止突起に、２方向からそれぞれ係止部材をその板状部に形成した係止孔を嵌めることによって係止させる係止構造において、係止突起の係止部材が嵌められる方向のそれぞれの端部に係止孔の受け入れ用の斜面を形成し、本体に設けた１個の係止突起に嵌まるように２つの係止部材のそれぞれの板状部に係止孔を形成し、両係止孔をそれぞれ板状部の弾性を利用して斜面をすべらせるように移動させることにより係止突起に嵌めることで、両係止部材のそれぞれの板状部が重なった状態で係止することを特徴とする。
【発明の効果】
【０００８】
このようにした本発明は、１個の係止突起に対して、２方向からそれぞれ係止部材の係止孔を嵌めて係止することにより、係止部材の板状部を重ね合わせることができ、本体の内部で発生する電気的なノイズの抑制力が大きく他の電子機器への影響を抑えることができることになる。
また、1個の係止突起に両係止部材の係止孔をそれぞれ係止させるために係止個所が１個所となって製品の小型化をはかることができるという効果が得られる。
【発明を実施するための最良の形態】
【０００９】
以下、図面を参照して本発明による実施例を説明する。
【実施例】
【００１０】
図１は実施例を示す説明図、図２は係止突起の正面説明図、図３は係止突起の側面説明図である。
１は本体（本体や部品等を含むような概念である。）、２はこの本体１に設けた係止突起であり、平面形状が大略Ｔ形を形成するように横方向の上部３および縦方向の脚部４からなっている。
【００１１】
この係止突起２の上部３には、後部に平面部５を残して前端部に上方から下方に向けて傾斜する受け入れ用の斜面６が形成してある。また、脚部４には、前端部に下方から上方に向けて傾斜する受け入れ用の斜面７が形成してある。
９は前記本体１に係止する係止部材であり、この係止部材９の側部を形成する板状部１０に前記係止突起２の外形に丁度嵌まる大きさのＴ形の係止孔１１が形成してある。なお、この係止孔１１は、図８に示す如く、係止突起２の外形より大きな寸法のＴ形形状としてもよい。
【００１２】
１２はこれも前記本体１に係止する係止部材であり、この係止部材１２の側部を形成する板状部１３に前記係止突起２の上部３の幅寸法と、上部３と脚部４までの高さ寸法とよりなり、係止突起２に丁度嵌まる大きさの矩形の係止孔１４が形成してある。なお、この係止孔１４も、図７に示す如く、係止突起２の外形より大きな寸法の矩形形状としてもよい。また、係止部材９の係止孔１１と同様に、図４に示す如く、Ｔ形形状としてもよい。
【００１３】
なお、前記係止突起２の高さは、２つの係止部材９、１２のそれぞれの板状部１０、１３が重なった厚さ以上の寸法である。また、係止突起２の平面部５の奥行き方向の幅は、係止部材１２板状部１３の厚さとほぼ同じであり、係止突起２の斜面６の奥行き方向の幅は、係止部材９の板状部１０の厚さとほぼ同じである。
上記両係止部材９、１２と本体１との関係は、例えば、本体に取り付ける上カバーと下カバーのような概念である。
【００１４】
上述した構成の係止作用について説明する。
まず、図１、図５に示す如く、係止部材１２の板状部１３に設けた係止孔１４を板状部１３の弾性を利用して斜面７をすべらせるように移動させることにより係止突起２に嵌める。このとき、係止突起２に形成した受け入れ用の斜面７によって係止孔１４はなめらかに進んで係止突起２に嵌まって係止させることができる。
この係止状態は、図５に示す如く、係止孔１４の稜線１４Ａが係止突起２の平面部５に係止し、係止孔１４の稜線１４Ｂが係止突起２の突起側面２Ｂに係止し、係止孔１４の稜線１４Ｃが係止突起２の突起側面２Ｃに係止して上左右の３方向に対して係止することができる。また、係止部材１２の上方向への係止は、図１０に示す如く、係止部材１２が本体１に当接することにより行う。なお、係止孔１４をＴ形形状とした場合には、係止孔１４の稜線１４Ｄが係止突起２の上部３に係止される。
【００１５】
つぎに、図１、図６に示す如く、係止部材９の板状部１０に設けた係止孔１１を板状部の弾性を利用して斜面６をすべらせるように移動させることにより係止突起２に嵌まり、図９、図１０に示す如く、係止部材１２の板状部１３上にこの係止部材９の板状部１０を重ねて係止することができる。このとき、係止突起２に形成した受け入れ用の斜面６によって係止孔１１はなめらかに進んで係止突起２に嵌まって係止させることができる。この場合、斜面６は平面部５を介して形成されているが、先に係止部材１２の板状部１３が嵌められているのでその厚さにより平面部５にぶつかって邪魔になるようなことはなく斜面６に板状部１０をすべらせることができる。
【００１６】
この係止状態は、図６に示す如く、係止孔１１の稜線１１Ｂが係止突起２の上部下面２Ｂに係止し、係止孔１１の稜線１１Ｃが係止突起２の上部３および脚部４の突起側面２Ｃに係止し、係止孔１１の稜線１１Ｄが係止突起２の上部３および脚部４の突起側面２Ｄに係止することにより下左右方向の３方向に対して係止することができる。また、係止部材９の下方向への係止は、図１０に示す如く、係止部材９が本体１に当接することにより行う。
【００１７】
以上の説明の如く、係止突起は、対向する両側から係止部材の係止孔を嵌めることができるように係止突起の対向する両側にそれぞれ受け入れ用の斜面を形成し、さらに、係止孔の稜線と係止突起とで係止するところに特長があり、それを満足させることができる形状であれば外形形状はＴ形に限るものではなくどのような形状でもよい。
以上の如く、１個の係止突起に対して、向き合った方向からそれぞれ係止部材の係止孔を嵌めて係止することにより、係止部材の板状部を重ね合わせることができ、本体内部で電気的なノイズが発生してもノイズの抑制力が大きく他の電子機器への影響を抑えることができることになる。
【００１８】
また、1個の係止突起に両係止部材の係止孔をそれぞれ係止するために係止個所が１個所となって製品の小型化をはかることができる。
【図面の簡単な説明】
【００１９】
【図１】実施例を示す説明図
【図２】係止突起の正面図
【図３】係止突起の側面図
【図４】他の形状の係止部材の斜視図
【図５】一方の係止孔と係止突起との係止状態の説明図
【図６】他方の係止孔と係止突起との係止状態の説明図
【図７】係止孔を大きくした場合の係止突起との係止状態の説明図
【図８】係止孔を大きくした場合の係止突起との係止状態の説明図
【図９】両係止部材を係止させた状態の正面説明図
【図１０】両係止部材を係止させた状態の側面説明図
【図１１】従来例の係止突起の正面図
【図１２】従来例の係止突起の側面図
【図１３】係止孔と係止突起との係止状態の説明図
【図１４】係止孔を係止突起に係止させる状態の説明図
【図１５】係止孔と係止突起との説明図
【符号の説明】
【００２０】
１  本体
２  係止突起
３  上部
４  脚部
５  平面部
６  斜面
７  斜面
９  係止部材
１０  板状部
１１  係止孔
１２  係止部材
１３  板状部
１４  係止孔      
【図１１】
0005039517.tif 000002
【図１２】
0005039517.tif 000003
【図１】
0005039517.tif 000004
【図２】
0005039517.tif 000005
【図３】
0005039517.tif 000006
【図４】
0005039517.tif 000007
【図５】
0005039517.tif 000008
【図６】
0005039517.tif 000009
【図７】
0005039517.tif 000010
【図８】
0005039517.tif 000011
【図９】
0005039517.tif 000012
【図１０】
0005039517.tif 000013
【図１３】
0005039517.tif 000014
【図１４】
0005039517.tif 000015
【図１５】
0005039517.tif 000016